(57)【要約】      （修正有）【課題】現行の石油合成ポリマー（ＰＶＣ、ＰＥ）等の材料を代替することができる、植物から抽出した澱粉を発酵させて得られるポリ乳酸（Ｐｏｌｙ  ｌａｃｔｉｃ  ａｃｉｄ，ＰＬＡ）原料と可生物分解材料を加工成型した環境保護カードの提供。【解決手段】環境保護カードは、カード中材２０と界面活性剤の複合材料からなる。カード中材は、成型時に一定の厚さを有し、生物が分解できる複数の内部膜片３０を有し、各内部膜片は、ポリ乳酸樹脂組成物を主ベースとし、更に、補助ベースを混合する。これにより、複数の内部膜片の層畳により、物理、機械、及び、柔靭な特性を有し、現行のすべての石油合成ポリマー材料を代替することができる。【選択図】図２
0003140000.tif 000002
【実用新案登録請求の範囲】
【請求項１】
環境保護カードであって、その特徴は、カード中材と界面活性剤の複合材料からなり、前記カード中材は、成型時に一定の厚さを有し、生物が分解できる複数の内部膜片を有し、各内部膜片は、ポリ乳酸樹脂組成物を主ベースとし、更に、補助ベースを混合し、前記内部膜片は四角形で、ポリ乳酸樹脂組成物は、植物中のとうもろこし、砂糖黍、サツマイモ、及び、馬鈴薯等から選択された一種、或いは、多種の混合でなる粉状構造で、補助ベースはＰＣＬ樹脂で、界面活性剤は、ＰＬＡ/粘土ナノコンポジット(ＰＬＡ /Clay Nanocomposites)ナノ複合材料で構成され、前記内部膜片の主ベースは、顆粒組成物の直径が、５〜１０ナノ（ｎｍ）であり、各内部膜片は０，０３ｍｍ以上の厚さで、また、前記内部膜片の機械靭性は６０００（ｐｓｉ）に達することを特徴とする環境保護カード
【請求項２】
前記界面活性剤は、ポリ乳酸／粘度（PLA/Clay Nanocomposites)ナノ複合材料で、モンモリロナイトは酸化ケイ素と酸化アルミニウムウ層構造で、両層の酸化ケイ素四面体は、アルミナ八面体を挟み、尺寸は0.1μ×0.1μ×1 nmで、厚さは１ナノ（ｎｍ）であることを特徴とする請求項１に記載の環境保護カード。
【考案の詳細な説明】
【技術分野】
【０００１】
本考案は環境保護カードに関するものであって、植物から抽出した澱粉を発酵させて得られるポリ乳酸（Ｐｏｌｙ(lacticacid),ＰＬＡ）原料を、一定の比率の可生物分解材料と結合し、その力学特性、耐熱性、及び、摩擦損耗の因数により、厚さのあるカード形状に加工成型し、ポリ乳酸樹脂複合材料の透明と強靭な特性を利用して、汎用性応用し、現行のすべての石油合成ポリマー（ＰＶＣ、ＰＥ）等の材料を代替することができる環境保護カードに関する。
【背景技術】
【０００２】
現在多種のカードや容器に用いられる石化合成ポリマー材料は社会問題となり、例えば、原始材料（石油）の枯渇、加熱や廃棄物燃焼による排気がもたらす地球温暖化、廃棄と燃焼後の残留物の毒性物質、及び、残留物の食物（動植物の生態連鎖）に対する影響、汚染物の埋蔵処理等が問題になっている。
【考案の開示】
【考案が解決しようとする課題】
【０００３】
本考案の目的は、上述の問題を解決するため、汎用性応用し、現行のすべての石油合成ポリマー（ＰＶＣ、ＰＥ）等の材料を代替することができる環境保護カードを提供することにある。
【課題を解決するための手段】
【０００４】
本考案の環境保護カードは、カード中材と界面活性剤の複合材料からなる。カード中材は、成型時に一定の厚さを有し、生物が分解できる複数の内部膜片を有し、各内部膜片は、ポリ乳酸樹脂組成物を主ベースとし、更に、補助ベースを混合する。これにより、複数の内部膜片の層畳により、物理、機械、及び、柔靭な特性を有し、汎用性ポリマーの応用とし、現行のすべての石油合成ポリマー材料を代替することができる。また、生物が分解できる複合材料は廃棄後、自然環境中で分解されるか、或いは、燃焼させて水と二酸化炭素に分解し、生態への汚染がなく、発酵循環の再利用も可能である。
【考案の効果】
【０００５】
各種感応カード、ICカード、プラスチックカードを容易に結合することができ、複合材料の応用範囲を拡大することができる。また、廃棄後、自然環境中で水と二酸化炭素に分解され、生態への汚染がなく、発酵循環の再利用も可能であり、環境保護製品としての価値がある。
【考案を実施するための最良の形態】
【０００６】
図１と図２は本考案の環境保護カードを示す図で、主に、カード中材２０と界面活性剤の複合材料からなる。カード中材２０は、成型時に一定の厚さを有し、生物が分解できる複数の内部膜片３０を有し、各内部膜３０は、ポリ乳酸樹脂組成物を主ベースとし、更に、補助ベースを混合する。これにより、複数の内部膜片３０の層畳により、物理、機械、及び、柔靭な特性を有し、現行のすべての石油合成ポリマー材料を代替することができるだけでなく、カードは生物により分解することができる。
【０００７】
実施時、製造されたカード中材２０の各種実用特性を通用の石油合成ポリマーと比較すると、内部に含有される一定比率のポリカプロラクトン〔Poly(ε-caprolactone)，
PCL〕とポリ乳酸（Poly(lacticacid),PLA）樹脂組成物は、効果的に制御しなければならないので、好ましい内部膜片３０の組成成分は以下のようである。
【０００８】
主ベースは、ポリ乳酸（Poly(lacticacid),PLA）樹脂組成物で、植物中（とうもろこし澱粉、砂糖黍、サツマイモ、馬鈴薯等）から大量に抽出し、分離、研磨、乾燥により粉状構造にし、顆粒組成物は直径が約５〜１０ナノである。
【０００９】
補助ベースは、ポリカプロラクトン〔Ｐoly(ε-caprolactone)，
PCL〕樹脂であり、添加比率は、好ましくは１０〜１５ｗｔ％である。
【００１０】
界面活性剤は、乳酸（lactic acid)乳液を添加して改質後のモンモリロナイト(Montmorillonite)で、ポリ乳酸／粘度（PLA/Clay Nanocomposites)ナノ複合材料で、モンモリロナイトは酸化ケイ素と酸化アルミニウムウ層構造で、両層の酸化ケイ素四面体は、アルミナ八面体を挟み、尺寸は0.1μ×0.1μ×1 nmで、厚さは１ナノ（ｎｍ）である。
【００１１】
自然界に存在するモンモリロナイトは、地質構造の変化中、ケイ素原子、或いは、アルミニウム原子は、異なる金属イオンにより置換され、マイナス電気を帯びた基層を形成し、土壌中の陽イオンを吸収して、モンモリロナイト自身のマイナス電位を中和する。この種の層間の陽イオンは、水中で、極性作用により給水膨張して自然分散し、乳酸乳液は、ナトリウムイオンモンモリロナイトのナトリウムイオンと容易に交換される。交換能力の強弱は、陽イオン交換能力（Cationic Exchange Capacity，CEC，milli-equivalent / 100 gm）により表示され、大部分はモンモリロナイトＣＥＣ値が１３０〜１８０の間で、親水性モンモリロナイト表面と高分子基材（ポリ乳酸、ポリカプロラクトン等）がナノ複材を形成し、モンモリロナイト親水性は親和性表面に改質される。
【００１２】
本考案は、乳酸乳液の陽イオン界面活性剤により、モンモリロナイト表面のナトリウムイオンと交換し、処理後、モンモリロナイトが水中で、界面活性剤の親和端疎水性作用により凝縮し、粒径が大きい沈殿物を生成する。また、界面活性剤は、ポリマー/粘土ナノコンポジット(Polymer
/Clay Nanocomposites)ナノ複合材料でもよく、この種のナノ複合材料は、優秀な機械強度と耐化学性質を有し、親和性が高く、常時、高分子の補強や充填材となり、且つ、混合無機材料（ガラスファイバー、炭酸カルシウム、滑石粉）を利用し、高分子複合材料の構造を補強する。
【００１３】
上述の各比率の材料を結合し、熱ポリマー、圧片製作により、内部膜片３０が四角形を呈し、各内部膜片３０は、少なくとも約０．０３ｍｍ以上の厚さであり、これにより、複数の内部膜片３０を層畳してなるカード中材２０構造の強度が強く、石油合成ポリマー材料を完全に代替し、カード中材２０上に、プリント層４０、覆膜５０、或いは、その他の回路基材、吸波材等（図示しない）を結合してカード製作に使用する。
【００１４】
また、内部膜片３０外観は透明状の繊維膜で、応用上、添加染料や石墨を利用し、プリント層を有する多彩な色を表現し、その他の基材を合わせて使用するか、或いは、全ての基材覆片を完全に代替して、多彩な視覚美観の組み合わせを達成する。また、成型された内部膜片３０の機械靭性は６０００（ｐｓｉ）に達し、また、耐摩損性に優れており、石化性中料の科学、機械、耐温等の通用標準規範を有し、且つ、耐熱性、抗輻射、尺寸安全性を有する以外に、生成されたカード片中材２０は燃焼時に大量の煙を生成せず、生物可分解性、及び、低誘電係数等の特性を有するので、使用上、環境保護に符合する。
【図面の簡単な説明】
【００１５】
【図１】本考案のカード構造図である。
【図２】本考案のカード中材の断面図である。
【符号の説明】
【００１６】
２０      カード中材
３０      内部膜片
４０      プリント層
５０      覆膜
【図１】
0003140000.tif 000003
【図２】
0003140000.tif 000004